(57)【要約】      （修正有）【課題】難聴者が使用する補聴器等の電源入切用スイッチにおいて、傾斜スイッチを倒した時、その全ての方向に対して垂直から水平近くまでＯＮ状態が保たれ、水平近くなって始めてＯＦＦ状態に確実に切り替わり、更に、振動に対しても安定した傾斜スイッチを提供する。【解決手段】非磁性体である筐体２を、筒体とその上部に１対の滑り子受け台１０を配設した下キャップ４と上キャップ５および一対のカラー８，９によって支持された円錐台状隔壁６によって構成し、該筐体内に、傾斜スイッチ１を水平にした時その重心が円錐台状隔壁の下端エッジ部７を支点として常に上キャップ側にあるように構成した永久磁石などからなる滑り子１４を設け、該滑り子によって駆動されるリードスイッチを前記滑り子受け台の間に設ける。【選択図】図１
0003152158.tif 000002
【実用新案登録請求の範囲】
【請求項１】
非磁性体である筐体を、筒体とその上部に１対の滑り子受け台を配設した下キャップと上キャップおよび一対のカラーによって支持された円錐台状隔壁によって構成し、該筐体内に、傾斜スイッチを水平にした時その重心が円錐台状隔壁の下端エッジ部を支点として常に上キャップ側にあるように構成した永久磁石などからなる滑り子を柔軟で細い紐体によって前記上キャップから揺動、移動自在に吊り下げて設け、該滑り子によって駆動されるリードスイッチを前記滑り子受け台の間に滑り子の中心から偏芯させて設けたことを特徴とする傾斜スイッチ。
【考案の詳細な説明】
【技術分野】
【０００１】
本考案は、難聴者が使用する集音器（補聴器）の電源の入り切りを不要にする、リードスイッチと永久磁石を用いた傾斜スイッチに関するものである。
【背景技術】
【０００２】
難聴者が使用する集音器としてはヘッドホン型やインナーイヤ型、手持ち型などの集音器が開発されており、電源の入り切りの煩わしさや切り忘れを解消した物としては、主電源スイッチ回路にタクトスイッチ（プッシュスイッチ）を付け加える方法や主電源スイッチをタクトスイッチに置き換える方法で、耳に押し当てたり手に持ったりするだけで電源がＯＮし、耳から離したり手から離したりするだけでＯＦＦするように構成した集音器が開発されている。（先行技術文献としては、特開２００１−３２０７９１、特開２００２−３０５７８５、特開２００５−３０３９６３がある。）
【０００３】
しかし、これらの集音器は、タクトスイッチを集音器のスピーカー部や握り部に設けるものであり、スピーカー部に設けた場合は常にこれを耳に押し当ててその状態を保っていなければならず、握り部に設けた場合も、常に手に力を入れてタクトスイッチを押していなければならず、いずれも使用者に圧迫感や手の緊張などを常時強いるという問題点があり、これらは高齢者や障害者にとって大きな負担となっている。
【０００４】
この問題点を解決する為に、タクトスイッチに変えて傾斜スイッチを使用する方法が考えられる。傾斜スイッチは傾斜角度の違いを利用して電源のＯＮ、ＯＦＦを行うものである。一方、集音器は、テーブルに置いた時と使用している時とでその傾きが明確に異なるので、傾斜スイッチを使用すれば、集音器のスピーカー部を耳近辺で保持していさえすれば電源がＯＮ状態（接点がつながった状態）になり、テーブルに置きさえすればＯＦＦ状態（接点が切れた状態）になるので、使用者に負担をかけない優しい集音器を提供することが出来る。
【０００５】
しかしながら、集音器は、頭や耳に装着する物であっても手持ちの物であっても、いずれも身に付けて使用する物であるから、全ての方向に対して垂直から水平近くまで傾けて使う可能性があり、しかも、身体を動かす事によって生ずる振動下での使用も考えられる。したがって、集音器に使用する傾斜スイッチは、傾斜スイッチを倒した時、その全ての方向に対して垂直から水平近くまでＯＮ状態が安定して保たれ、水平近くになって初めてＯＦＦ状態になるものでなければならず、更に、身体を動かしてもチャタリングを発生しない、振動に対して安定した傾斜スイッチでなければならない。
【０００６】
一方、従来の傾斜スイッチとしては、図１０に示すように、球体の自重を利用して接触部に連結したプランジャーを押下してＯＮするものがある。また、図１１のように傾動式の重りを利用して重りの下面に設けた接点板の先端を固定接点に当接させてＯＮさせるものや、図１２のように仕切り板上に載置した球体でプランジャーに内装した磁石をリードスイッチに近接させてＯＮさせるもの（例えば、特許文献１参照。）、図１３のように棒状磁性体を傾斜板上に転動自在に配置してＯＮさせるもの（例えば、特許文献２参照。）、図１４のように磁石を内装した搖動式振り子によって垂設したリードスイッチをＯＮさせるもの（例えば、特許文献３参照。）などがある。
【０００７】
しかしながら、これらを個別的に検討すると、例えば、球体の自重を利用して接触部に連結したプランジャーを押下するものにあっては、一定の接触力を確保する為に大きな球体が必要であり、傾斜スイッチ自体も大きく、重くなり、かつＯＮ域が狭い上、振動にも弱いと言う問題点がある。また、傾動式重りを利用して重りの下面に設けた接点板の先端を固定接点に当接させるものにあっては、ＯＮ域が狭い上接触が不安定になりやすく、僅かな振動でも誤動作すると言う問題点がある。また、仕切り板上に載置した球体でプランジャーに内装した磁石をリードスイッチに近接させてＯＮさせるものにあっては、一定の押下力を確保する為に大きな球体が必要であり、ＯＮ域も狭い上振動にも弱いと言う問題点がある。また、棒状磁性体を傾斜板上に転動自在に配置してＯＮさせるものにあっては、働く方向が限定される上にＯＮ域が狭く、振動にも弱いと言う問題点があり、磁石を内装した搖動式振り子によって垂設したリードスイッチをＯＮさせるものにあっては、ＯＮ域が狭いと言う共通の問題点が残っている。
【０００８】
以上のように、従来の傾斜スイッチは、構造的な問題からいずれもＯＮ域が狭い上、振動に弱く、チャタリングが起きやすい物である。しかし、これらは機器の転倒を検知して、電力を遮断する為に設けられる遮断スイッチであるから、この分野では問題なく使用できる物だと言える。
【０００９】
しかしながら、集音器に使用する傾斜スイッチは、前述のように、傾斜スイッチを倒した時、その全ての方向に対して垂直から水平近くまでＯＮ状態が安定して保たれ、水平近くになって初めてＯＦＦ状態になる物でなければならず、更に、身体を動かしてもチャタリングが発生しない、振動に対しても安定した傾斜スイッチでなければならない。したがって、前記のような従来の傾斜スイッチを集音器に使用する事は出来ない。
【先行技術文献】
【特許文献】
【００１０】
【特許文献１】特開２０００−２４３１９５
【特許文献２】特開２００１−２３４８７
【特許文献３】特開２００１−８４８７８
【考案の概要】
【考案が解決しようとする課題】
【００１１】
本考案は、以上のような従来の傾斜スイッチを集音器のＯＮ、ＯＦＦスイッチとして適用した場合の問題点に鑑みてなされたものであって、傾斜スイッチを倒した時、その全ての方向に対して垂直から水平近くまでＯＮ状態が保たれ、水平近くなって始めてＯＦＦ状態に確実に切り替わり、更に、振動に対しても安定した傾斜スイッチの提供を目的とする。
【課題を解決するための手段】
【００１２】
前記目的を達成する為に本考案は、非磁性体である筐体を、筒体とその上部に１対の滑り子受け台を配設した下キャップと上キャップおよび一対のカラーによって支持された円錐台状隔壁によって構成し、該筐体内に、傾斜スイッチを水平にした時その重心が円錐台状隔壁の下端エッジ部を支点として常に上キャップ側にあるように構成した永久磁石などからなる滑り子を柔軟で細い紐体によって前記上キャップから揺動、移動自在に吊り下げて設け、該滑り子によって駆動されるリードスイッチを前記滑り子受け台の間に滑り子の中心から偏芯させて設ける。
【考案の効果】
【００１３】
請求項１の考案によれば、傾斜スイッチを倒した時、その全ての方向に対して垂直から水平近くまでＯＮ状態が保たれ、水平近くなって始めてＯＦＦ状態に確実に切り替わり、更に、振動に対しても安定した傾斜スイッチの提供が出来る。
【図面の簡単な説明】
【００１４】
【図１】本考案の傾斜スイッチの第１実施例を表す縦断面図である。
【図２】第１実施例の傾斜スイッチのＡ−Ａ断面矢視図である。
【図３】第１実施例の滑り子の縦断面図である。
【図４】第１実施例の滑り子の重心を表す部分断面図である。
【図５】第１実施例の傾斜スイッチが水平に置かれた状態を表すＢ−Ｂ断面矢視図である。
【図６】第１実施例のリードスイッチと永久磁石の関係を説明する図である。
【図７】第１実施例の傾斜スイッチを使用した集音器の使用法を表す図である。
【図８】従来の傾斜スイッチを表す断面図である。
【図９】他の従来の傾斜スイッチを表す断面図である。
【図１０】他の従来の傾斜スイッチを表す断面図である。
【図１１】他の従来の傾斜スイッチを表す断面図である。
【図１２】他の従来の傾斜スイッチを表す断面図である。
【考案を実施するための形態】
【００１５】
非磁性体である筐体を、筒体とその上部に１対の滑り子受け台を配設した下キャップと上キャップおよび一対のカラーによって支持された円錐台状隔壁によって構成し、該筐体内に、傾斜スイッチを水平にした時その重心が円錐台状隔壁の下端エッジ部を支点として常に上キャップ側にあるように構成した永久磁石などからなる滑り子を柔軟で細い紐体によって前記上キャップから揺動、移動自在に吊り下げて設け、該滑り子によって駆動されるリードスイッチを前記滑り子受け台の間に滑り子の中心から偏芯させて設ける。
【実施例】
【００１６】
以下、図面に基づき本考案の最良の実施形態について述べる。なお、以下に述べる実施の形態は、本考案の最良の具体例であるから、技術的に好ましい限定がなされているが、本考案の範囲は、以下の説明において特に本考案を限定する旨の記載がない限り、これらの態様に限られるものではない。
【００１７】
まず、図１において、傾斜スイッチ１を構成する筐体２は、薄肉、円筒状の筒体３に、鍔付きの下キャップ４と同じく鍔付きの上キャップ５とを嵌め込んで構成する。下キャップ４の上面中央にはリードスイッチ１１の外径よりも厚い１対の滑り子受け台１０がリードスイッチが嵌まり込むだけの隙間を空けて一体的に配設されている。下キャップ４の外縁近くには配線コード１３を通す配線用抜き穴３８が設けてあり、筒体３と滑り子受け台１０の間には配線コード１３を通す隙間を設けてある。
【００１８】
一方、永久磁石が垂直方向からリードスイッチに近付く場合、図６に示すように、リードスイッチの中央部にＯＦＦ領域が、両サイドにＯＮ領域が発生する。したがって、リードスイッチを駆動する永久磁石を単純にリードスイッチの中央に位置させるとＯＮ、ＯＦＦの切り替えが不安定になりやすい。また、振動によっても相互位置が変化するので、ＯＮ、ＯＦＦの切り替えが不安定になりやすい。すなわち、ＯＮ、ＯＦＦの切り替えを確実にするためには、永久磁石の中心がリードスイッチの片側のＯＮ領域の中心に来るようにリードスイッチを偏芯させて置くことが重要である。そこで、本考案においては次のように構成する。
【００１９】
すなわち、図２、図５に示すように、リードスイッチ１１は、下キャップ４の外縁側にずらして滑り子受け台１０の間の隙間に嵌め込まれ、滑り子１４の中心に対して偏芯して下キャップ４上面に固定されている。リードスイッチ１１の端子１２には配線コード１３が半田付けされており、該配線コードは滑り子受け台１０を巻く様にして下キャップの配線用抜き穴３８から導き出される。
【００２０】
上下のキャップ４、５に挟まれた筒体３内部には、下キャップ４側に厚肉円筒状のカラー９が、上キャップ５側に薄肉円筒状のカラー８が筒体３の内周に接して嵌め込まれている。薄肉、円錐台状の円錐台状隔壁６は、その小径側をカラー９に差し込まれ、大径側を筒体３とカラー８によって押えられて固定されているが、該円錐台状隔壁の内面はカラー８の内面とともに滑らかな連続した斜面を形成している。なお、カラー９の下面は滑り子受け台１０の上面に接し、カラー８の上面は上キャップ５の下面に接し、それぞれの位置を保つようになっている。
【００２１】
なお、筐体２を構成する筒体３、下キャップ４、上キャップ５、円錐台状隔壁６、カラー８、カラー９、滑り子受け台１０はいずれも非磁性体で構成されており、筐体２は全体として非磁性体である。また、本実施例において、筐体２は分割した部品を組合わせて構成されているが、一体物であってもいいことは当然である。
【００２２】
滑り子１４は、図３に示すように、軽量な円筒状の非磁性体からなるカラー１５と円柱状の永久磁石１６、軽量な円筒状の非磁性体からなるカラー１７および前三者に対してより重い材質からなる円柱状の重り１８が一体的に積層され、表面が滑らかな円柱状に形成されており、図１に示すように、その上面中央に一体的に接続された柔軟で細い紐体１９によって揺動、移動自在に、かつ、その下面が滑り子受け台１０に接するように、上キャップ５の中央部から垂下されている。
【００２３】
滑り子１４の重心２０は、図４に示すように、傾斜スイッチ１を水平に倒し、滑り子１４を下キャップ４側に寄せた時、円錐台状隔壁６の下端エッジ部７を支点として常に上キャップ５側に、しかも、下端エッジ部近くにあるように構成されている。また、滑り子１４は、図５に示すように、上キャップ５側に寄せた時、下端エッジ部７から少なくともその先端が出ているような長さに形成されており、滑り子１４が上キャップ５の下面に接した状態で、滑り子１４はリードスイッチ１１のＯＮ領域から確実に離脱するような位置関係になっている。なお、傾斜スイッチ１を水平に倒した時、滑り子１４が自由に転倒して上キャップ５側に滑落できるように、カラー９の内径は下端エッジ部７の内径よりも大きく構成され、円錐台状隔壁６とカラー８の形成する斜面は、滑り子１４が重力によって速やかに滑落して上キャップ５に接するに十分な勾配に構成されている。なお、カラー９の内径、下端エッジ部７の内径および滑り子１４の外径の取合いによっては、紐体１９は省略できる。
【００２４】
なお、図１のように、スピーカー４２を傾斜スイッチ１に取り付ける場合は、磁気干渉を避ける為に、スピーカーを傾斜スイッチの上方（上キャップ５側）にずらして取付け、リードスイッチから可能な限り離すことが望ましい。また、筒体３下部にスピーカーコード３９を通す配線用抜き穴３８を予め設けておく事が望ましい。
【００２５】
本考案になる傾斜スイッチ１は、以上詳細に述べて来たような構成であるので、本考案によれば、次のような効果を得ることが出来る。
【００２６】
滑り子の中心がリードスイッチの片側のＯＮ領域の中心に来るようにリードスイッチを偏芯させてあり、滑り子の重心が、下端エッジ部を支点として常に上キャップ側に、しかも、下端エッジ部近くにあり、水平近くで転倒した滑り子は重力を利用して速やかにＯＮ領域を離脱するようになっており、しかも、円錐台状隔壁が円錐台状であり、滑り子が円柱状であるので、傾斜スイッチのＯＮ状態は、その全ての方向に対して垂直から水平近くまで安定して保たれ、水平近くになって初めてＯＦＦ状態になる。また、滑り子が柔軟で細い紐体１９によって揺動、移動自在に垂下され、下端エッジ部７およびカラー９によってもガイドされているので、振動があっても、滑り子がリードスイッチの適正なＯＮ、ＯＦＦ領域を外れる事が無く、振動に対して安定しているのでチャタリングが発生しない。また、スピーカーを傾斜スイッチの上方にずらして取り付けているので、スピーカーとリードスイッチとが離れていて磁気干渉が避けられ、誤動作がない。また、傾斜スイッチが起される時も同様に、ＯＦＦからＯＮへの切り替えが確実に行われる。
【００２７】
また、滑り子受け台１０がリードスイッチ１１の外径より厚く形成されているので、傾斜スイッチが振動しても滑り子によってリードスイッチが破損されることが無い。また、滑り子１４は、その先端が少なくとも円錐台状隔壁６の下端から出るほど長く構成され、さらに、紐体１９やカラー９で動きを制限されているので、傾斜スイッチ１が振り回されても滑り子１４が円錐台状隔壁６内に落ち込んでロックされてしまう事がない。
【００２８】
また、滑り子１４が、軽量なカラー１５および１７と永久磁石１６および前三者より重い材質からなる重り１８を積層してなるので、それぞれの比率を変えれば、重心２０の高さやリードスイッチ１１と永久磁石１６との距離も変えられるので、傾斜スイッチのＯＮ領域を変更できる。したがって、本考案になる傾斜スイッチは他の用途にも適用できる。
【産業上の利用可能性】
【００２９】
本考案になる傾斜スイッチは、以上述べたように、単純明快な構成であるので、接点の開閉が安定して行われ、振動にも強く、チャタリングの発生もない、小型、軽量化された集音器用傾斜スイッチを提供できる。
【００３０】
例えば、この集音器用傾斜スイッチを使用した集音器を着装した状態を図７に示すが、その使用法は、主電源スイッチは入れたままとし、音量についても使用者に合わせて調整しておき、集音器のＯＮ、ＯＦＦを傾斜スイッチの働きのみで行う。したがって、集音器は、耳元に持っていくだけでＯＮ状態になり、テーブルに置くだけでＯＦＦ状態になるので、スイッチを入れたり切ったり、音量調節したりする煩わしさが無く、しかも、切り忘れて電池を消耗してしまうことも無い。なお、主電源スイッチを使うのは、集音器を持ち運ぶ時だけである。
【符号の説明】
【００３１】
１    傾斜スイッチ
２    筐体
３    筒体
４    下キャップ
５    上キャップ
６    円錐台状隔壁
７    下端エッジ部
８    カラー
９    カラー
１０  滑り子受け台
１１  リードスイッチ
１２  端子
１３  配線コード
１４  滑り子
１５  カラー
１６  永久磁石
１７  カラー
１８  重り
１９  紐体
２０  重心
３１  集音器
３８  配線用抜き穴
４２  スピーカー
【図１】
0003152158.tif 000003
【図２】
0003152158.tif 000004
【図３】
0003152158.tif 000005
【図４】
0003152158.tif 000006
【図５】
0003152158.tif 000007
【図６】
0003152158.tif 000008
【図７】
0003152158.tif 000009
【図８】
0003152158.tif 000010
【図９】
0003152158.tif 000011
【図１０】
0003152158.tif 000012
【図１１】
0003152158.tif 000013
【図１２】
0003152158.tif 000014
【手続補正書】
【提出日】平成21年5月25日(2009.5.25)
【手続補正１】
【補正対象書類名】実用新案登録請求の範囲
【補正対象項目名】全文
【補正方法】変更
【補正の内容】
【実用新案登録請求の範囲】
【請求項１】
非磁性体である筐体を、筒体とその上部に１対の滑り子受け台を配設した下キャップと上キャップおよび一対のカラーによって支持された円錐台状隔壁によって構成し、該筐体内に、傾斜スイッチを水平にした時その重心が円錐台状隔壁の下端エッジ部を支点として常に上キャップ側にあるように構成した永久磁石などからなる滑り子を設け、該滑り子によって駆動されるリードスイッチを前記滑り子受け台の間に設けたことを特徴とする傾斜スイッチ。
【手続補正２】
【補正対象書類名】明細書
【補正対象項目名】００１２
【補正方法】変更
【補正の内容】
【００１２】
前記目的を達成する為に本考案は、非磁性体である筐体を、筒体とその上部に１対の滑り子受け台を配設した下キャップと上キャップおよび一対のカラーによって支持された円錐台状隔壁によって構成し、該筐体内に、傾斜スイッチを水平にした時その重心が円錐台状隔壁の下端エッジ部を支点として常に上キャップ側にあるように構成した永久磁石などからなる滑り子を設け、該滑り子によって駆動されるリードスイッチを前記滑り子受け台の間に設ける。